(57)【要約】【課題】普通骨材を用いたコンクリートと同程度の圧縮強度を示し、コンクリートの壁厚を厚くすること無く、優れた中性子遮蔽能を発揮することができ、従って、中性子遮蔽を必要とする施設建設時において広範囲に渡る空間設計を可能にしうる中性子遮蔽用コンクリートを提供すること。【解決手段】本発明の中性子遮蔽用コンクリートは、セメント、水、粗骨材及び細骨材を含み、前記粗骨材としてかんらん岩採石を含み、前記細骨材としてかんらん岩砕砂及び灰ホウ石を含み、且つ前記灰ホウ石の含有割合が、コンクリート全量基準で５〜２０重量％であることを特徴とする。【選択図】  なし【特許請求の範囲】
【請求項１】
セメント、水、粗骨材及び細骨材を含む中性子遮蔽用コンクリートであって、
粗骨材としてかんらん岩採石を含み、細骨材としてかんらん岩砕砂及び灰ホウ石を含み、且つ前記灰ホウ石の含有割合が、コンクリート全量基準で５〜２０重量％であることを特徴とする中性子遮蔽用コンクリート。
【請求項２】
粗骨材の含有割合がコンクリート全量基準で４１〜４２重量％、細骨剤の含有割合がコンクリート全量基準で３３〜３６重量％であり、且つ細骨材としてのかんらん岩砕砂の含有割合がコンクリート全量基準で１７〜２６重量％であることを特徴とする請求項１記載の中性子遮蔽用コンクリート。
【請求項３】
粗骨材としてのかんらん岩採石が、２５ｍｍ篩を通過しうる、最短径５ｍｍの採石であり、細骨材として用いるかんらん岩砕砂が、１０ｍｍの篩を通過しうる大きさの粒径を有し、且つ細骨材として用いる灰ホウ石が、１０ｍｍの篩を通過する粒径を有することを特徴とする請求項１又は２記載の中性子遮蔽用コンクリート。
【発明の詳細な説明】
【技術分野】
【０００１】
本発明は、主に、原子力施設、加速器施設、RI(放射性同位元素)研究施設、医療施設等における、放射線遮蔽、特に中性子遮蔽を必要とする施設に用いることができる、優れた中性子遮蔽能と強度とを兼ね備えた中性子遮蔽用コンクリートに関する。
【背景技術】
【０００２】
原子力関連施設や医療施設における放射線の遮蔽では、施設内で使用する機器の性能向上と共に、従来軽視されてきた中性子の遮蔽が重要となっている。
そこで、このような中性子の遮蔽を改善するために、例えば、コンクリートの壁厚を厚くする方法、局所的に中性子遮蔽樹脂を使用する方法が提案されている。また、国際核融合実験炉ITER等において、中性子遮蔽のために、高価な炭化ホウ素(B4C)を混合したコンクリートが採用されている。
しかし、コンクリートの壁厚を厚くする方法では、該壁の占有領域が大きくなるので、施設の効率設計が困難である。一方、中性子遮蔽樹脂や炭化ホウ素を混合したコンクリートを用いる場合には、コスト的に問題があり、更には、中性子遮蔽材料の耐久性の点も不安がある。
【０００３】
また、特許文献１には、コレマナイト(灰ホウ石)等の含ホウ素骨材と、鉱油等の油に該油を乳化する界面活性剤が混和された油混和剤とが、それぞれ所定の割合で混和されている中性子遮蔽コンクリートが提案されている。該コンクリートに用いられる灰ホウ石は、優れた中性子遮蔽能を有するが、コンクリート中に多く配合すると、得られるコンクリートの強度が発現しないという問題があり、所望の中性子遮蔽能と強度との両立に関しては課題がある。また、該中性子遮蔽コンクリートにおいては、特殊な鉱油を使用するため、現場における使用が困難であるという問題もある。
一方、非特許文献１には、粗骨材として灰ホウ石を用いたコンクリートブロックの圧縮強度試験が記載され、ある程度多く配合してもその強度が維持できることが報告されている。しかし、非特許文献２には、灰ホウ石を細骨剤として用いた場合、その配合割合を多くすると優れた圧縮強度が得られないことが記載されている。要するに、優れた中性子遮蔽能を付与するために、灰ホウ石をコンクリート全体に分散させるように細骨剤として用いた場合、所望の強度が得られていないのが実状であり、灰ホウ石を用いて、優れた中性子遮蔽能と強度とを両立したコンクリートの開発が望まれている。
【特許文献１】特開平６−１６４５号公報
【非特許文献１】Journal of Nuclear Materials 212−215 (1994), p1720−1723
【非特許文献２】Volkman, D. E. and Bussolini, P. L., Journal of Testing and Evaluation, JTEVA, Vol. 20, No.1, Jan. 1992, pp.92−96
【発明の開示】
【発明が解決しようとする課題】
【０００４】
本発明の課題は、普通骨材を用いたコンクリートと同程度の圧縮強度を示し、コンクリートの壁厚を厚くすること無く、優れた中性子遮蔽能を発揮することができ、従って、中性子遮蔽を必要とする施設建設時において広範囲に渡る空間設計を可能にしうる中性子遮蔽用コンクリートを提供することにある。
【課題を解決するための手段】
【０００５】
本発明者らは、上記課題を解決するために鋭意検討した結果、粗骨材としてかんらん岩採石を、細骨材としてかんらん岩砕砂及び灰ホウ石を用い、しかも前記灰ホウ石を、コンクリート全体量に対して特定割合で含有させることにより、上記課題が解決しうることを見出し、本発明を完成した。
即ち、本発明によれば、セメント、水、粗骨材及び細骨材を含む中性子遮蔽用コンクリートであって、粗骨材としてかんらん岩採石を含み、細骨材としてかんらん岩砕砂及び灰ホウ石を含み、且つ前記灰ホウ石の含有割合が、コンクリート全量基準で５〜２０重量％であることを特徴とする中性子遮蔽用コンクリートが提供される。
【発明の効果】
【０００６】
本発明の中性子遮蔽用コンクリートは、粗骨材としてかんらん岩採石を含み、細骨材としてかんらん岩砕砂及び灰ホウ石を含み、且つ前記灰ホウ石を特定割合で含有するので、普通骨材を用いたコンクリートと同程度の圧縮強度を示し、且つ優れた中性子遮蔽能を発揮することができる。例えば、被曝線量評価において重要なエネルギー領域の中性子を出す252Cf中性子源で評価した場合、同一壁厚の普通コンクリートに比べて、遮蔽対象となる中性子のエネルギーや、コンクリートの厚さによって性能差は異なるが、約１．５〜１．７倍の遮蔽能を発揮することができ、また２次ガンマ線生成量で、約１／２〜１／１０より少ない性能を発揮させることが可能である。
従って、原子力施設、加速器施設、RI研究施設、医療施設等における、放射線遮蔽、特に中性子遮蔽を必要とする施設へ好適に採用することができる。
【発明を実施するための最良の形態】
【０００７】
以下、本発明を更に詳細に説明する。
本発明の中性子遮蔽用コンクリートは、セメント、水、特定の粗骨材及び特定の細骨材を含む。
前記セメントとしては、通常、普通、早強、超早強、低熱、及び中庸熱等の各種ポルトランドセメント等を用いることができる。
本発明の中性子遮蔽用コンクリートにおいて、セメントの使用量や、水／セメント比は、通常のコンクリート製造時の条件に基づいて、建設する施設に応じて適宜選択することができる。また、骨材量も同様に適宜選択することができる。
【０００８】
本発明に用いるかんらん岩(Olivine rock)はその産地により、その成分組成が多少異なるが、通常、SiO2とMgOとを主成分とし、結晶水を約１〜２重量％含むものである。
本発明において、粗骨材として用いるかんらん岩砕石は、通常、２５ｍｍ篩を通過しうる、最短径５ｍｍ程度の砕石である。粗骨材としては、かんらん岩砕石以外の他の通常の粗骨材等を含有させることも可能である。しかし、本発明の所望の優れた中性子遮蔽能をより向上させるためには、粗骨材中のかんらん岩砕石の含有割合が高いほど好ましい。
粗骨材の含有割合は適宜選択することができるが、コンクリート全量基準で、通常、４０〜４５重量％、好ましくは４１〜４２重量％である。
【０００９】
本発明において、細骨材として用いるかんらん岩砕砂は、通常、１０ｍｍの篩を通過しうる大きさの粒径を有する砕砂であることがコンクリートへの分散性の点で好ましい。
該かんらん岩砕砂の配合割合は、所望の効果を勘案して適宜選択することができるが、コンクリート全量基準で、通常１７〜３６重量％、好ましくは１７〜２６重量％である。３６重量％を超えると、所望の中性子遮蔽能が低下する恐れがあり、一方、１７重量％未満では、所望の強度を確保することができない恐れがある。
【００１０】
本発明において、細骨材として用いる灰ホウ石は、２CaO・３B2O3・５H2Oを主成分として、好ましくはB2O3を４３．４９重量％以上含む鉱物である。灰ホウ石は、通常、１０ｍｍの篩を通過する粒径、好ましくは５ｍｍの篩を通過する粒径を有する、粒子であることが、所望の中性子遮蔽能及び強度を得るために好ましい。
該灰ホウ石の含有割合は、コンクリート全量基準で５〜２０重量％、好ましくは１０〜１８重量％程度であり、更には、骨材全量基準において０．４〜２２重量％の条件をも充足することが所望の効果をより改善しうる点で好ましい。コンクリート全量に対する灰ホウ石の含有割合が、５重量％未満では所望の中性子遮蔽能が得られず、一方、２０重量％を超える場合には、所望の強度が得られない。
【００１１】
本発明において前記細骨材としては、上記かんらん岩砕砂及び灰ホウ石以外の通常の細骨材を含有させることも可能である。しかし、本発明の所望の効果をより向上させるためには、他の細骨材の含有割合は低い方が好ましい。
本発明において細骨材の含有割合は、適宜選択することができるが、コンクリート全量基準で、通常、２７〜３６重量％、好ましくは２８〜３５重量％である。２７重量％未満では、所望の中性子遮蔽能が低下する恐れがあり、一方、３６重量％を超える場合には、所望の強度を確保することができない恐れがある。
【００１２】
本発明の中性子遮蔽用コンクリートにおいて、優れた圧縮強度と中性子遮蔽能とを両立できる理由は、以下の作用によるものと考えられる。
一般に、放射線の中でも中性子と物質の相互作用は複雑で、中性子のエネルギーの違いによって相互作用が変化する。中性子のエネルギーは、０keV〜１keVの低速中性子、
１keV〜５００keVの中速中性子及び５００keV〜１MeVの高速中性子に分けられる。
中性子の相互作用には、大まかに弾性散乱と非弾性散乱とがあり、弾性散乱は、低速中性子及び中速中性子が引き起こすもので、水素のような軽い原子核との相互作用により中性子のエネルギーが減少する。特に、水素原子は中性子と同じ質量なので、効率よく中性子のエネルギーを減少させることができる。一方、非弾性散乱は、高速中性子に起こる現象で、鉄等との相互作用により中性子のエネルギーが減少する。
本発明に採用するかんらん岩は、水分を多く含むので、該水分における水素原子と中性子とが弾性散乱を起こし、低速及び中速中性子が減速される。また、岩石であるために鉄分も含まれており、該鉄により高速中性子の減速効果も得られる。
【００１３】
本発明に採用する灰ほう石は、天然の岩石であり、平均４０重量％以上のホウ素成分を含んでいる。該ホウ素は、低速中性子を吸収する特性を持っていることが従来から知られており、原子力発電所の原子炉制御棒にも用いられている材料である。
従って、本発明の中性子遮蔽用コンクリートにおいては、かんらん岩によって減速された中性子が灰ホウ石のホウ素に吸収されることで、効率良く中性子を遮蔽することができる。そして、このような効率的な中性子遮蔽能が得られるので、強度低下の原因となる細骨材としての灰ホウ石の含有割合を高くしなくても所望の中性子遮蔽能を達成でき、強度低下を最小限に抑えることができる。しかも、かんらん岩を粗骨材にも用いることでより強度低下が抑制できる。本発明においては、以上の作用により、所望の効果が達成できるものと考えられる。
【００１４】
本発明の中性子遮蔽用コンクリートは、通常のコンクリートと同様な方法により製造することができるので、現場においても容易に施工することが可能である。この際、必要に応じて、コンクリートに通常使用される各種添加剤や混和剤等を適宜選択して用いることもできる。
【実施例】
【００１５】
以下、本発明を実施例により更に詳細に説明するが、本発明はこれらに限定されない。
例に用いる材料は以下のとおりである。
粗骨材(A)：２５ｍｍ篩を通過する最短径５ｍｍのかんらん岩採石
粗骨材(B)：２５ｍｍ篩を通過する川砂利(普通粗骨材)
細骨材(A)：１０ｍｍ篩を通過するかんらん岩の砕砂
細骨材(B)：１０ｍｍ篩を通過する灰ホウ石の砕石
細骨材(C)：１０ｍｍ篩を通過する川砂(普通細骨材)
セメント：普通ポルトランドセメント
混和剤：AE減水剤
【００１６】
実施例１及び参考例１
表１に示す組成により、直径１００ｍｍ、高さ２００ｍｍのコンクリート成型物を調製し、材齢７日、２８日、５６日及び９１日における圧縮強度をJIS A 1108に従って測定した。結果を図１に示す。
図１より、実施例１に係るコンクリートは、普通骨材を用いた参考例１のコンクリートと同等の強度が得られることが判った。
【００１７】
【表１】
2008039453.tif 000002
【００１８】
次に、実施例１における組成のコンクリートの中性子遮蔽性能を、参考例１における組成のコンクリートとシミュレーション計算により比較した。使用した計算コードは、米国ロスアモス国立研究所で開発された中性子挙動シミュレーションコードMCNPバージョン５である。使用した原子核データは、日本原子力研究開発機構で整備されたJENDL-3.3である。入力データには、実際に製造した実施例１のコンクリートの元素分析を行い、その分析結果をシミュレーション計算の入力データとした。これら計算コード及び原子核データは、共に世界中で広く用いられており、実験値を精度良く再現する計算コードとして多大な実績を有するものである。
シミュレーション計算は、一般の原子力施設で用いられる低速中性子から高速中性子までのエネルギー範囲を再現するため、252Cf中性子源(低速中性子から１０MeV付近まで再現可能)に対する遮蔽性能と、核融合施設の遮蔽性能を再現するため、１４MeV中性子源に対する遮蔽性能を計算した。それぞれの結果を図２及び図３に示す。
図２及び図３から、実施例１組成のコンクリートは、参考例１組成のコンクリートに対して、252Cf中性子源に対しては１．７倍以上、１４MeV中性子源に対しては、１．５倍以上の遮蔽性能を有することが判る。
【００１９】
実施例２〜４及び参考例２
表２に示す組成により、直径１００ｍｍ、高さ２００ｍｍのコンクリート成型物を調製し、材齢７日、２８日、５６日及び９１日における圧縮強度をJIS A 1108に従って測定した。結果を図４に示す。
図４より、実施例２及び３に係るコンクリートは、かんらん岩である粗骨材(A)及び細骨材(A)を用いない参考例２に係るコンクリートと同等の強度が得られ、実施例４に係るコンクリートも参考例２に係るコンクリートより若干低下する程度であった。
【００２０】
【表２】
2008039453.tif 000003
【００２１】
次に、実施例２における組成のコンクリートの中性子遮蔽性能を、参考例２における組成のコンクリートとシミュレーション計算により実施例１及び参考例１と同様に比較した。252Cf中性子源(低速中性子から１０MeV付近まで再現可能)に対する遮蔽性能の計算結果を図５に、１４MeV中性子源に対する遮蔽性能の計算結果を図６に示す。
図５及び図６から、実施例２に係る組成のコンクリートは、骨材としてかんらん岩を用いていない参考例２に係る組成のコンクリートよりも遮蔽性能に優れることが判る。
【図面の簡単な説明】
【００２２】
【図１】実施例１及び参考例１組成におけるコンクリートの材齢に対する圧縮強度変化を示すグラフである。
【図２】実施例１及び参考例１組成におけるコンクリートの252Cf中性子源に対する遮蔽性能の計算結果を示すグラフである。
【図３】実施例１及び参考例１組成におけるコンクリートの１４MeV中性子源に対する遮蔽性能の計算結果を示すグラフである。
【図４】実施例２〜４及び参考例２組成におけるコンクリートの材齢に対する圧縮強度変化を示すグラフである。
【図５】実施例２及び参考例２組成におけるコンクリートの252Cf中性子源に対する遮蔽性能の計算結果を示すグラフである。
【図６】実施例２及び参考例２組成におけるコンクリートの１４MeV中性子源に対する遮蔽性能の計算結果を示すグラフである。
【図１】
2008039453.tif 000004
【図２】
2008039453.tif 000005
【図３】
2008039453.tif 000006
【図４】
2008039453.tif 000007
【図５】
2008039453.tif 000008
【図６】
2008039453.tif 000009